(57)【要約】【課題】たとえば立方体の回転体を複数回転軸で連結した従来例においては、複雑な機構を備えていて製作に手間がかかる上、デザイン上多くの制約があってデザインにバリエーションを付けにくいという問題があった。【解決手段】一つの枠体を多面の錐体で構成するとともに、その枠体の各面にそれぞれ宝石類を取り付けた単位体を備え、この単位体を複数並べて連結することにより、各面の宝石類が見る角度によって異なる印象を与えるようにしたことを特徴とする装身具。【選択図】      図１
2005095391.tif 000002
【特許請求の範囲】
【請求項１】
一つの枠体を多面の錐体で構成するとともに、その枠体の各面にそれぞれ宝石類を取り付けた単位体を備え、この単位体を複数並べて連結することにより、各面の宝石類が見る角度によって異なる印象を与えるようにしたことを特徴とする装身具。
【請求項２】
多面の錐体で構成した枠体の各面に、方形の宝石類を取り付けたことを特徴とする請求項１に記載の装身具。
【請求項３】
多面の錐体の上部構造が、方形面を１つの頂点で連結した三角錐からなることを特徴とする請求項１または２に記載の装身具。
【発明の詳細な説明】
【技術分野】
【０００１】
この発明は、複数の単位体を並べて連結することにより、各面の宝石類が見る角度によって異なる印象を与えるようにした装身具を提供しようとするものである。
【背景技術】
【０００２】
従来、複数の宝石を並べて連結した装身具としては、以下に示すようなものが知られている。
１）立方体の回転体を複数回転軸で連結し、一個の指輪で複数の宝石の組み合わせを楽しむことができるようにしたもの（特開平８−１９４０８号公報  特許文献１参照）
２）指輪のリング部分と別個に設けた座部に、宝石等の装飾物を複数配置固定したもの（実用新案登録第３０７９６９９公報  特許文献２参照）
【特許文献１】特開平８−１９４０８号公報
【特許文献２】実用新案登録第３０７９６９９公報
【発明の開示】
【発明が解決しようとする課題】
【０００３】
確かに上記従来例１）においては、見る角度によって別の宝石やデザイン等が発生することがうかがわれる。しかしながら、上記１）にものは立方体の回転体を複数回転軸で連結したものであり、複雑な機構を備えていて製作に手間がかかる上、デザイン上多くの制約があってデザインにバリエーションを付けにくいという問題があった。
【０００４】
また上記従来例２）においては、見る角度によって別の宝石やデザイン等が発生することもなく、単にその数が多いために豪華に見えやすいというに過ぎず、デザイン上飽きられやすいという問題があった。
【課題を解決するための手段】
【０００５】
そこでこの発明の装身具は従来例の上記問題点を解消するため、一つの枠体を多面の錐体で構成するとともに、その枠体の各面にそれぞれ宝石類を取り付けた単位体を備え、この単位体を複数並べて連結することにより、各面の宝石類が見る角度によって異なる印象を与えるようにしたことを特徴とするものである。
【０００６】
この発明の装身具は、上記多面の錐体で構成した枠体の各面に、方形の宝石類を取り付けたことをも特徴とするものである。
【０００７】
この発明の装身具は、上記多面の錐体の上部構造が、方形面を１つの頂点で連結した三角錐からなることをも特徴とするものである。
【発明の効果】
【０００８】
以上のようにこの発明の装身具は、一つの枠体を多面の錐体で構成するとともに、その枠体の各面にそれぞれ宝石類を取り付けた単位体を備え、この単位体を複数並べて連結したものである。そのため、各面の宝石類が見る角度によって異なる印象を与えるようにすることができる。たとえば、見る角度ごとの各面にそれぞれ共通の宝石類を取り付け、違う角度の各面にはそれぞれ別の宝石類を取り付けることにより、各面の宝石類が見る角度によって異なる印象を与えたり、見る角度ごとの各面に複数の宝石類で適宜のモチーフを表現し、各面ごとに異なるモチーフを表現したりすることが可能となる。
【発明を実施するための最良の形態】
【０００９】
以下この発明の装身具の実施の形態を図面に基いて詳細に説明する。
図面において、図１はこの発明の装身具をペンダントに適用した場合の１実施例を示す概略平面図、図２（ａ）、（ｂ）、（ｃ）はそれぞれ見る角度を変えた場合の概略斜視図、図３はこの発明の装身具をイヤリングに適用した場合の１実施例を示す概略平面図、図４（ａ）、（ｂ）、（ｃ）はそれぞれ見る角度を変えた場合の概略斜視図、図５はこの発明の装身具を指輪に適用した場合の１実施例を示す概略平面図、図６（ａ）、（ｂ）、（ｃ）はそれぞれ見る角度を変えた場合の概略斜視図である。
【００１０】
まず、この発明の装身具をペンダントに適用した場合の図１および図２において、装身具１１は複数の単位体１３で構成されている。すなわち単位体１３は、一つの枠体１５を多面の錐体で構成するとともに、その錐体からなる枠体１５の各面１７にそれぞれ宝石類１９を取り付けたものである。そして、この単位体１３の複数並べて連結して装身具１１を構成している。その際、上記各面１７の開放部分の各辺２１をそれぞれ次の単位体１３の各辺２１と連結していくことにより、隙間なく連結することができる。なお、単位体１３を構成する枠体１５の背面には、その所定位置に１ないし２以上の吊金具２３が設けられており、チェーン等を用いて吊金具２３で吊り下げることにより、ペンダントとして使用することができる。
【００１１】
上記各面１７には、たとえば見る角度ごとの各面１７にそれぞれ共通の宝石類１９を取り付け、違う角度の各面１７にはそれぞれ別の宝石類１９を取り付けることにより、各面の宝石類１９が見る角度によって異なる印象を与えたり、見る角度ごとの各面１７に複数の宝石類１９で適宜のモチーフを表現し、各面１７ごとに異なるモチーフを表現したりすることが可能となる。ちなみに、図２（ａ）に示す面においてはダイヤモンドが、（ｂ）に示す面においてはイエローダイヤモンドが、（ｃ）に示す面においてはエメラルドがそれぞれ取り付けられている。
【００１２】
上記枠体１５の開口面への宝石類１９の取り付けに際しては、爪止めや伏せ込み、彫り止め、あるいは接着剤等による取り付け等の適宜手段を採用することができる。もちろん、ミステリーセッティングと称する枠体１５を見せない取り付け方も採用可能である。
【００１３】
この実施例では、多面の錐体で構成した枠体１５として方形の開口部を有するものを採用し、その各面に、それぞれ方形の宝石類１９を取り付けた状態を示している。すなわち、多面の錐体の上部構造が、方形面を１つの頂点で連結した三角錐状の構造からなっている。そして方形面の各面１７の開放部分の各辺２１をそれぞれ次の単位体１３の各辺２１と連結しているのである。
【００１４】
したがって、図２のように見る角度ごとの各面１７にそれぞれ共通の宝石類１９を取り付け、違う角度の各面１７にはそれぞれ別の宝石類１９を取り付けることにより、各面１７の宝石類１９が見る角度によって異なる印象を与えるものを提供することができ、非常に趣のある装身具とすることができる。また、見る角度ごとの各面１７に複数の宝石類１９で適宜のモチーフ（文字や図形等）を表現し、各面１７ごとに異なるモチーフを表現したりすることも可能である。
【００１５】
なお、上記多面の錐体として、三角錐状であったり、四角錐状であったり、またそれ以上の多角錐状の構造であったりすることも可能である。
【００１６】
次に、この発明の装身具をイヤリングに適用した場合の図３および図４において、装身具３１はやはり複数の単位体３３で構成されている。すなわち単位体３３は、一つの枠体３５を多面の錐体で構成するとともに、その錐体からなる枠体３５の各面３７にそれぞれ宝石類３９を取り付けたものである。そして、この単位体３３の複数並べて連結して装身具３１を構成している。その際、上記各面３７の開放部分の各辺４１をそれぞれ次の単位体３３の各辺４１と連結していくことにより、隙間なく連結することができる。なお、単位体３３を構成する枠体３５の背面には、その所定位置に１ないし２以上の挟着金具４３が設けられており、耳たぶを挟着金具４３で挟み付けることにより、イヤリングとして使用することができる。
【００１７】
上記各面３７には、たとえば見る角度ごとの各面３７にそれぞれ共通の宝石類３９を取り付け、違う角度の各面３７にはそれぞれ別の宝石類３９を取り付けることにより、各面の宝石類３９が見る角度によって異なる印象を与えたり、見る角度ごとの各面３７に複数の宝石類３９で適宜のモチーフを表現し、各面３７ごとに異なるモチーフを表現したりすることが可能となる。ちなみに、図４（ａ）に示す面においてはダイヤモンドが、（ｂ）に示す面においてはイエローダイヤモンドが、（ｃ）に示す面においてはエメラルドがそれぞれ取り付けられている。
【００１８】
したがって、図４のように見る角度ごとの各面３７にそれぞれ共通の宝石類３９を取り付け、違う角度の各面３７にはそれぞれ別の宝石類３９を取り付けることにより、各面３７の宝石類３９が見る角度によって異なる印象を与えるものを提供することができ、非常に趣のある装身具とすることができる。
【００１９】
また、この発明の装身具を指輪に適用した場合の図５および図６において、装身具５１はやはり複数の単位体５３で構成されている。すなわち単位体５３は、一つの枠体５５を多面の錐体で構成するとともに、その錐体からなる枠体５５の各面５７にそれぞれ宝石類５９を取り付けたものである。そして、この単位体５３の複数並べて連結して装身具５１を構成している。その際、上記各面５７の開放部分の各辺６１をそれぞれ次の単位体５３の各辺６１と連結していくことにより、隙間なく連結することができる。なお、単位体５３を構成する枠体５５の背面には、その所定位置に１ないし２以上のリング部分６３が設けられており、使用する指をリング部分６３にはめ込むことにより、指輪として使用することができる。
【００２０】
上記各面５７には、たとえば見る角度ごとの各面５７にそれぞれ共通の宝石類５９を取り付け、違う角度の各面５７にはそれぞれ別の宝石類５９を取り付けることにより、各面の宝石類５９が見る角度によって異なる印象を与えたり、見る角度ごとの各面５７に複数の宝石類５９で適宜のモチーフを表現し、各面５７ごとに異なるモチーフを表現したりすることが可能となる。ちなみに、図６（ａ）に示す面においてはダイヤモンドが、（ｂ）に示す面においてはイエローダイヤモンドが、（ｃ）に示す面においてはルビーがそれぞれ取り付けられている。
【００２１】
したがって、図６のように見る角度ごとの各面５７にそれぞれ共通の宝石類５９を取り付け、違う角度の各面５７にはそれぞれ別の宝石類５９を取り付けることにより、各面５７の宝石類５９が見る角度によって異なる印象を与えるものを提供することができ、非常に趣のある装身具とすることができる。
【産業上の利用可能性】
【００２２】
この発明の装身具は以上のように構成したので、上記に例示したペンダントやイヤリング、指輪のみならず、ブローチやブレスレット、ネックレス、ネクタイ止め等の種々の装身具に適用することが可能である。
【図面の簡単な説明】
【００２３】
【図１】この発明の装身具をペンダントに適用した場合の１実施例を示す概略平面図である。
【図２】（ａ）、（ｂ）、（ｃ）はそれぞれ見る角度を変えた場合の概略斜視図
【図３】この発明の装身具をイヤリングに適用した場合の１実施例を示す概略平面図である。
【図４】（ａ）、（ｂ）、（ｃ）はそれぞれ見る角度を変えた場合の概略斜視図である。
【図５】この発明の装身具を指輪に適用した場合の１実施例を示す概略平面図である。
【図６】（ａ）、（ｂ）、（ｃ）はそれぞれ見る角度を変えた場合の概略斜視図である。
【符号の説明】
【００２４】
１１  装身具
１３  単位体
１５  枠体
１７  面
１９  宝石類
２１  開放部分の各辺
２３  吊金具
３１  装身具
３３  単位体
３５  枠体
３７  面
３９  宝石類
４１  開放部分の各辺
４３  挟着金具
５１  装身具
５３  単位体
５５  枠体
５７  面
５９  宝石類
６１  開放部分の各辺
６３  リング部分
【図１】
2005095391.tif 000003
【図２】
2005095391.tif 000004
【図３】
2005095391.tif 000005
【図４】
2005095391.tif 000006
【図５】
2005095391.tif 000007
【図６】
2005095391.tif 000008